(57)【要約】【課題】ネットワーク主導で、動作すべき移動制御手順を決定する。【解決手段】移動制御方法は、携帯端末１０が、モバイルＩＰ用クライアント機能１３を具備する旨を示す端末機能をエッジノード３０に対して通知する工程と、エッジノード３０が、ＰＭＩＰ用クライアント機能３０Ｂを具備している場合、携帯端末１０に対してＭＩＰ機能１３ではなくＩＰ機能１４を用いて移動制御用の動作を行うように指示する工程と、携帯端末１０が、エッジノード３０からの指示に応じてＩＰ機能１４を用いて移動制御用の動作を行う工程と、エッジノード３０が、ＰＭＩＰ用クライアント機能３０Ｂを用いて移動制御用の動作を行う工程とを有する。【選択図】図４
2008172293.tif 000002
【特許請求の範囲】
【請求項１】
移動通信ネットワークにおける携帯端末の移動制御を行う移動制御方法であって、
前記携帯端末が、モバイルＩＰ用クライアント機能を具備する旨を示す端末機能を、前記移動通信ネットワークのエッジノードに対して通知する工程と、
前記エッジノードが、プロキシモバイルＩＰ用クライアント機能を具備している場合、前記携帯端末に対して、前記モバイルＩＰ用クライアント機能ではなくＩＰ機能を用いて前記移動制御用の動作を行うように指示する工程と、
前記携帯端末が、前記エッジノードからの指示に応じて、前記ＩＰ機能を用いて前記移動制御用の動作を行う工程と、
前記エッジノードが、前記プロキシモバイルＩＰ用クライアント機能を用いて前記移動制御用の動作を行う工程とを有することを特徴とする移動制御方法。
【請求項２】
移動通信ネットワークにおける携帯端末の移動制御を行う移動制御方法であって、
前記携帯端末が、モバイルＩＰ用クライアント機能を具備していない旨を示す端末機能を、前記移動通信ネットワークのエッジノードに対して通知する工程と、
前記エッジノードが、プロキシモバイルＩＰ用クライアント機能を具備しておらず、モバイルＩＰ用フォーリンエージェント機能を具備している場合、前記携帯端末に対して、前記モバイルＩＰ用クライアント機能を用いて前記移動制御用の動作を行うように指示すると共に、該モバイルＩＰ用クライアント機能を実現するためのモバイルＩＰ用クライアント機能用ソフトウエアの格納場所を通知する工程と、
前記携帯端末が、通知された前記格納場所から、前記モバイルＩＰ用クライアント機能用ソフトウエアをダウンロードする工程と、
前記携帯端末が、前記モバイルＩＰ用クライアント機能用ソフトウエアをインストールすることによって装備された前記モバイルＩＰ用クライアント機能を用いて前記移動制御用の動作を行う工程と、
前記エッジノードが、前記モバイルＩＰ用フォーリンエージェント機能を用いて前記移動制御用の動作を行う工程とを有することを特徴とする移動制御方法。
【請求項３】
移動通信ネットワークにおける携帯端末の移動制御を行う移動制御方法であって、
前記携帯端末が、モバイルＩＰ用クライアント機能を具備するか否かについて示す端末機能を、在圏している訪問ネットワークのエッジノードに対して通知する工程と、
前記エッジノードが、前記携帯端末のホームネットワークに対して、モバイルＩＰ手順又はプロキシモバイルＩＰ手順のいずれに対応可能であるかについて問い合わせる工程と、
前記エッジノードが、前記ホームネットワークからの前記問い合わせ結果に基づいて、前記携帯端末に対して、前記モバイルＩＰ用クライアント機能を用いて前記移動制御用の動作を行うべきか、或いは、前記ＩＰ機能を用いて前記移動制御用の動作を行うべきかについて指示する工程と、
前記携帯端末が、前記エッジノードからの指示に応じて、前記モバイルＩＰ用クライアント機能又は前記ＩＰ機能のいずれかを用いて前記移動制御用の動作を行う工程と、
前記エッジノードが、前記ホームネットワークからの前記問い合わせ結果に応じて、前記モバイルＩＰ用フォーリンエージェント機能又は前記プロキシモバイルＩＰ用クライアント機能のいずれかを用いて前記移動制御用の動作を行う工程とを有することを特徴とする移動制御方法。
【請求項４】
携帯端末の移動制御を行う移動通信ネットワークに設けられているネットワーク装置であって、
前記携帯端末から、モバイルＩＰ用クライアント機能を具備する旨を示す端末機能を取得する端末機能取得部と、
プロキシモバイルＩＰ用クライアント機能を具備している場合、前記携帯端末に対して、前記モバイルＩＰ用クライアント機能ではなくＩＰ機能を用いて前記移動制御用の動作を行うように指示する指示部と、
前記プロキシモバイルＩＰ用クライアント機能を用いて前記移動制御用の動作を行う移動制御用動作部とを具備することを特徴とするネットワーク装置。
【請求項５】
携帯端末の移動制御を行う移動通信ネットワークに設けられているネットワーク装置であって、
前記携帯端末から、モバイルＩＰ用クライアント機能を具備していない旨を示す端末機能を取得する端末機能取得部と、
プロキシモバイルＩＰ用クライアント機能を具備しておらず、モバイルＩＰ用フォーリンエージェント機能を具備している場合、前記携帯端末に対して、前記モバイルＩＰ用クライアント機能を用いて前記移動制御用の動作を行うように指示する指示部と、
該モバイルＩＰ用クライアント機能を実現するためのモバイルＩＰ用クライアント機能用ソフトウエアの格納場所を通知する通知部と、
前記モバイルＩＰ用フォーリンエージェント機能を用いて前記移動制御用の動作を行う移動制御用動作部とを具備することを特徴とするネットワーク装置。
【請求項６】
携帯端末の移動制御を行う移動通信ネットワークに設けられているネットワーク装置であって、
前記携帯端末から、モバイルＩＰ用クライアント機能を具備するか否かについて示す端末機能を取得する端末機能取得部と、
前記携帯端末のホームネットワークに対して、モバイルＩＰ手順又はプロキシモバイルＩＰ手順のいずれに対応可能であるかについて問い合わせる問い合わせ部と、
前記ホームネットワークからの前記問い合わせ結果に基づいて、前記携帯端末に対して、前記モバイルＩＰ用クライアント機能を用いて前記移動制御用の動作を行うべきか、或いは、前記ＩＰ機能を用いて前記移動制御用の動作を行うべきかについて指示する指示部と、
前記ホームネットワークからの前記問い合わせ結果に応じて、前記モバイルＩＰ用フォーリンエージェント機能又は前記プロキシモバイルＩＰ用クライアント機能のいずれかを用いて前記移動制御用の動作を行う移動制御用動作部とを具備することを特徴とするネットワーク装置。
【発明の詳細な説明】
【技術分野】
【０００１】
本発明は、移動通信ネットワークにおける携帯端末の移動制御を行う移動制御方法及びネットワーク装置に関する。
【背景技術】
【０００２】
従来の移動制御（Ｍｏｂｉｌｉｔｙ  Ｍａｎａｇｅｍｅｎｔ）方法では、ネットワーク及び携帯端末が、同一の移動制御手順を用いた移動制御用の動作を行うように構成されている。
【０００３】
例えば、図２１に示すように、携帯端末１０が、ＭＩＰ（モバイルＩＰ：Ｍｏｂｉｌｅ  ＩＰ）機能を具備しており、ネットワークのエッジノード（ドメイン＃１）３０が、ＭＩＰ用ＦＡ（フォーリンエージェント：Ｆｏｒｅｉｇｎ  Ａｇｅｎｔ）機能を具備している場合、ネットワーク及び携帯端末１０が、ＭＩＰ手順を用いた移動制御用の動作を行うように構成されている。
【０００４】
図２１の例では、ＨＡ（ドメイン＃２）は、ＣＭＩＰ（モバイルＩＰ用クライアント）用のホームエージェントであり、携帯端末１０のホームアドレスを管理しており、インターネットから受信したＩＰパケットを、ＭＩＰトンネルを介してエッジノード３０のＭＩＰ用ＦＡ機能３０Ａまで転送するように構成されている。
【０００５】
エッジノード３０のＭＩＰ用ＦＡ機能３０Ａは、携帯端末１０のフォーリンアドレス（Ｆｏｒｅｉｇｎ  Ａｄｄｒｅｓｓ）を管理しており、ＨＡから送信されたパケットを携帯端末１０まで転送するように構成されている。
【０００６】
携帯端末１０は、モバイルＩＰ用クライアント（ＣＭＩＰ）機能を具備しており、エッジノード３０のＭＩＰ用ＦＡ機能３０Ａによって割り当てられたフォーリンアドレスを、ＨＡに登録するように構成されている。
【０００７】
また、図２２に示すように、携帯端末１０が、ＭＩＰ機能を具備しておらず、ネットワークのエッジノード（ドメイン＃１）３０が、ＭＩＰ用ＦＡ機能を具備しておらずＰＭＩＰ（プロキシモバイルＩＰ：Ｐｒｏｘｙ  Ｍｏｂｉｌｅ  ＩＰ）用クライアント機能を具備している場合、ネットワーク及び携帯端末１０が、ＰＭＩＰ手順を用いた移動制御用の動作を行うように構成されている。
【０００８】
図２２の例では、ＨＡは、ＰＭＩＰ用のホームエージェントであり、携帯端末１０のホームアドレスを管理しており、インターネットから受信したＩＰパケットを、ＨＡと同一ドメイン＃１に属するエッジノード３０のＰＭＩＰ用クライアント機能３０Ｂまで転送するように構成されている。
【０００９】
エッジノード３０のＰＭＩＰ用クライアント機能３０Ｂは、当該ＰＭＩＰ用クライアント機能３０ＢのＩＰアドレスを携帯端末１０のフォーリンアドレスとして、ＨＡに登録するように構成されており、ＨＡから送信されたパケットを携帯端末１０まで転送するように構成されている。
【００１０】
また、図２３を参照して、３ＧＰＰ２やＭｉＭＡＸ  Ｆｏｒｕｍで提案されている移動制御方法について説明する。
【００１１】
図２３に示すように、ステップ０において、ネットワークが、携帯端末１０に対する認証処理を行う。
【００１２】
ステップ１において、携帯端末１０が、当該携帯端末１０に装備されている端末機能を、エッジノード３０に対して通知する。ここで、端末機能には、「ＭＩＰ  ｖ４」や「ＭＩＰ  ｖ６」といったモバイルＩＰ用クライアント機能や、「ＩＰ  ｖ４」や「ＩＰ  ｖ６」といったＩＰ機能等が想定される。
【００１３】
エッジノード３０が、ステップ２において、携帯端末１０に装備されている端末機能に応じて、ＭＩＰ用ＦＡ機能３０Ａを用いて移動制御用の動作を行うべきか、或いは、ＰＩＰ用クライアント機能を用いて移動制御用の動作を行うべきかについて決定し、ステップ３において、携帯端末１０に対して、ＭＩＰ用クライアント機能を用いて移動制御用の動作を行うべきか、或いは、ＩＰ機能を用いて移動制御用の動作を行うべきかについて示す動作方法を通知する。
【非特許文献１】３ＧＰＰ２  Ｘ.Ｓ００１１-００２-Ｄ  Ｖｅｒｓｉｏｎ  １.０  Ｓｅｃｔｉｏｎ  ８、２００６年２月
【発明の開示】
【発明が解決しようとする課題】
【００１４】
しかしながら、３ＧＰＰ２やＭｉＭＡＸ  Ｆｏｒｕｍで提案されている移動制御方法では、携帯端末１０に装備されている端末機能に応じて、動作すべき移動制御手順を決定することができるが、ネットワーク側の事情に併せて、動作すべき移動制御手順を決定することができないという問題点があった。
【００１５】
すなわち、移動制御手順によって、パフォーマンス（トラフィック量や遅延時間等）やセキュリティレベルが異なってくるにもかかわらず、ネットワーク側で、動作すべき移動制御手順を決定することができなかった。
【００１６】
また、ネットワーク側で、携帯端末１０に装備されている様々な端末機能に対応するためには、複数の移動制御手順を準備する必要があり、コスト的な負担が大きいという問題点があった。
【００１７】
そこで、本発明は、上述の課題に鑑みてなされたものであり、ネットワーク主導で、動作すべき移動制御手順を決定することができる移動制御方法及びネットワーク装置を提供することを目的とする。
【課題を解決するための手段】
【００１８】
本発明の第１の特徴は、移動通信ネットワークにおける携帯端末の移動制御を行う移動制御方法であって、前記携帯端末が、モバイルＩＰ用クライアント機能を具備する旨を示す端末機能を、前記移動通信ネットワークのエッジノードに対して通知する工程と、前記エッジノードが、プロキシモバイルＩＰ用クライアント機能を具備している場合、前記携帯端末に対して、前記モバイルＩＰ用クライアント機能ではなくＩＰ機能を用いて前記移動制御用の動作を行うように指示する工程と、前記携帯端末が、前記エッジノードからの指示に応じて、前記ＩＰ機能を用いて前記移動制御用の動作を行う工程と、前記エッジノードが、前記プロキシモバイルＩＰ用クライアント機能を用いて前記移動制御用の動作を行う工程とを有することを要旨とする。
【００１９】
本発明の第２の特徴は、移動通信ネットワークにおける携帯端末の移動制御を行う移動制御方法であって、前記携帯端末が、モバイルＩＰ用クライアント機能を具備していない旨を示す端末機能を、前記移動通信ネットワークのエッジノードに対して通知する工程と、前記エッジノードが、プロキシモバイルＩＰ用クライアント機能を具備しておらず、モバイルＩＰ用フォーリンエージェント機能を具備している場合、前記携帯端末に対して、前記モバイルＩＰ用クライアント機能を用いて前記移動制御用の動作を行うように指示すると共に、該モバイルＩＰ用クライアント機能を実現するためのモバイルＩＰ用クライアント機能用ソフトウエアの格納場所を通知する工程と、前記携帯端末が、通知された前記格納場所から、前記モバイルＩＰ用クライアント機能用ソフトウエアをダウンロードする工程と、前記携帯端末が、前記モバイルＩＰ用クライアント機能用ソフトウエアをインストールすることによって装備された前記モバイルＩＰ用クライアント機能を用いて前記移動制御用の動作を行う工程と、前記エッジノードが、前記モバイルＩＰ用フォーリンエージェント機能を用いて前記移動制御用の動作を行う工程とを有することを要旨とする。
【００２０】
本発明の第３の特徴は、移動通信ネットワークにおける携帯端末の移動制御を行う移動制御方法であって、前記携帯端末が、モバイルＩＰ用クライアント機能を具備するか否かについて示す端末機能を、在圏している訪問ネットワークのエッジノードに対して通知する工程と、前記エッジノードが、前記携帯端末のホームネットワークに対して、モバイルＩＰ手順又はプロキシモバイルＩＰ手順のいずれに対応可能であるかについて問い合わせる工程と、前記エッジノードが、前記ホームネットワークからの前記問い合わせ結果に基づいて、前記携帯端末に対して、前記モバイルＩＰ用クライアント機能を用いて前記移動制御用の動作を行うべきか、或いは、前記ＩＰ機能を用いて前記移動制御用の動作を行うべきかについて指示する工程と、前記携帯端末が、前記エッジノードからの指示に応じて、前記モバイルＩＰ用クライアント機能又は前記ＩＰ機能のいずれかを用いて前記移動制御用の動作を行う工程と、前記エッジノードが、前記ホームネットワークからの前記問い合わせ結果に応じて、前記モバイルＩＰ用フォーリンエージェント機能又は前記プロキシモバイルＩＰ用クライアント機能のいずれかを用いて前記移動制御用の動作を行う工程とを有することを要旨とする。
【００２１】
本発明の第４の特徴は、携帯端末の移動制御を行う移動通信ネットワークに設けられているネットワーク装置であって、前記携帯端末から、モバイルＩＰ用クライアント機能を具備する旨を示す端末機能を取得する端末機能取得部と、プロキシモバイルＩＰ用クライアント機能を具備している場合、前記携帯端末に対して、前記モバイルＩＰ用クライアント機能ではなくＩＰ機能を用いて前記移動制御用の動作を行うように指示する指示部と、前記プロキシモバイルＩＰ用クライアント機能を用いて前記移動制御用の動作を行う移動制御用動作部とを具備することを要旨とする。
【００２２】
本発明の第５の特徴は、携帯端末の移動制御を行う移動通信ネットワークに設けられているネットワーク装置であって、前記携帯端末から、モバイルＩＰ用クライアント機能を具備していない旨を示す端末機能を取得する端末機能取得部と、プロキシモバイルＩＰ用クライアント機能を具備しておらず、モバイルＩＰ用フォーリンエージェント機能を具備している場合、前記携帯端末に対して、前記モバイルＩＰ用クライアント機能を用いて前記移動制御用の動作を行うように指示する指示部と、該モバイルＩＰ用クライアント機能を実現するためのモバイルＩＰ用クライアント機能用ソフトウエアの格納場所を通知する通知部と、前記モバイルＩＰ用フォーリンエージェント機能を用いて前記移動制御用の動作を行う移動制御用動作部とを具備することを要旨とする。
【００２３】
本発明の第６の特徴は、携帯端末の移動制御を行う移動通信ネットワークに設けられているネットワーク装置であって、前記携帯端末から、モバイルＩＰ用クライアント機能を具備するか否かについて示す端末機能を取得する端末機能取得部と、前記携帯端末のホームネットワークに対して、モバイルＩＰ手順又はプロキシモバイルＩＰ手順のいずれに対応可能であるかについて問い合わせる問い合わせ部と、前記ホームネットワークからの前記問い合わせ結果に基づいて、前記携帯端末に対して、前記モバイルＩＰ用クライアント機能を用いて前記移動制御用の動作を行うべきか、或いは、前記ＩＰ機能を用いて前記移動制御用の動作を行うべきかについて指示する指示部と、前記ホームネットワークからの前記問い合わせ結果に応じて、前記モバイルＩＰ用フォーリンエージェント機能又は前記プロキシモバイルＩＰ用クライアント機能のいずれかを用いて前記移動制御用の動作を行う移動制御用動作部とを具備することを要旨とする。
【発明の効果】
【００２４】
以上説明したように、本発明によれば、ネットワーク主導で、動作すべき移動制御手順を決定することができる移動制御方法及びネットワーク装置を提供することができる。
【発明を実施するための最良の形態】
【００２５】
（本発明の第１の実施形態に係る移動制御システムの構成）
図１乃至図３を参照して、本発明の第１の実施形態に係る移動制御システムの構成について説明する。
【００２６】
図１に示すように、本実施形態に係る移動制御システムは、移動通信ネットワークにおける携帯端末１０の移動制御を行うように構成されており、ネットワーク装置として、ＨＡ（ＰＭＩＰ用）と、認証サーバＡＡＡと、エッジノード３０とを具備している。
【００２７】
図２に示すように、携帯端末１０は、端末機能通知部１１と、動作方法取得部１２と、認証処理部１５と、ＭＩＰ用クライアント機能１３及びＩＰ機能１４を含む移動制御用動作部１００とを具備している。
【００２８】
端末機能通知部１１は、エッジノード３０に対して、当該携帯端末１０に装備されている端末機能を通知するように構成されている。
【００２９】
ここで、端末機能には、「ＭＩＰ  ｖ４」や「ＭＩＰ  ｖ６」といったＭＩＰ用クライアント機能や、「ＩＰ  ｖ４」や「ＩＰ  ｖ６」といったＩＰ機能等が想定される。
【００３０】
なお、端末機能通知部１１は、エッジノード３０に対して、ＭＩＰ用クライアント機能を具備するか否かについて示す端末機能を通知するように構成されていてもよい。
【００３１】
動作方法取得部１２は、エッジノード３０から、動作すべき移動制御手順を示す動作方法を取得するように構成されている。
【００３２】
ここで、動作すべき移動制御手順としては、ＭＩＰ手順やＰＭＩＰ手順等が想定される。
【００３３】
認証処理部１５は、認証サーバＡＡＡに対して認証要求を送信することによって、認証サーバＡＡＡに対して当該携帯端末１０に対する認証処理を行うように要求する。
【００３４】
移動制御用動作部１００は、エッジノード３０から指示された動作方法に対応する移動制御用の動作を行うように構成されている。
【００３５】
具体的には、移動制御用動作部１００は、エッジノード３０から、動作すべき移動手順としてＭＩＰ手順が指示された場合（すなわち、ＭＩＰ用クライアント機能１３を用いて移動制御用の動作を行うように指示された場合）、ＭＩＰ用クライアント機能１３を用いて移動制御用の動作を行うように構成されている。
【００３６】
また、移動制御用動作部１００は、エッジノード３０から、動作すべき移動手順としてＰＭＩＰ手順が指示された場合（すなわち、ＩＰ機能１４を用いて移動制御用の動作を行うように指示された場合）、ＩＰ機能１４を用いて移動制御用の動作を行うように構成されている。
【００３７】
図３に示すように、エッジノード３０は、端末機能取得部３１と、動作方法通知部３２と、ＩＰアドレス割り当て部３３と、ＰＭＩＰ用クライアント機能３０Ｂを含む移動制御用動作部３４とを具備している。
【００３８】
端末機能取得部３１は、携帯端末１０から、当該携帯端末１０に装備されている端末機能を取得するように構成されている。
【００３９】
具体的には、端末機能取得部３１は、リンク設定手順において、かかる端末機能を取得するように構成されていてもよいし、認証処理手順において、かかる端末機能を取得するように構成されていてもよい。
【００４０】
動作方法通知部３２は、携帯端末１０に対して、動作すべき移動制御手順を示す動作方法を通知するように構成されている。
【００４１】
本実施形態では、エッジノード３０が、ＰＭＩＰ用クライアント機能３０Ｂを具備しているため、動作方法通知部３２は、取得した携帯端末１０によってＭＩＰ用クライアント機能１３が装備されている場合であっても、携帯端末１０に対して、ＭＩＰ用クライアント機能１３ではなくＩＰ機能（「ＩＰ  ｖ４」や「ＩＰ  ｖ６」）１４を用いて移動制御用の動作を行うように指示する。
【００４２】
移動制御用動作部３４は、ＰＭＩＰ用クライアント機能３０Ｂを用いて移動制御用の動作を行うように構成されている。
【００４３】
認証サーバＡＡＡは、携帯端末１０から送信された認証要求に応じて、当該携帯端末１０に対する認証処理を行うように構成されている。
【００４４】
ＨＡ（ＰＭＩＰ用）は、ＰＭＩＰ用のホームエージェントであり、携帯端末１０のホームアドレスを管理しており、インターネット１から受信したＩＰパケットを、ＨＡ（ＰＭＩＰ用）と同一ドメインに属するエッジノード３０のＰＭＩＰ用クライアント機能３０Ｂまで転送するように構成されている。
【００４５】
（本発明の第１の実施形態に係る移動制御システムの動作）
図４及び図５を参照して、本発明の第１の実施形態に係る移動制御システムの動作について説明する。
【００４６】
第１に、図４を参照して、本実施形態に係る移動制御システムの第１の動作について説明する。
【００４７】
図４に示すように、エッジノード３０との間のリンク設定手順において、携帯端末１０が、ステップＳ１００１において、携帯端末１０に装備されている端末機能を、エッジノード３０に対して通知し、エッジノード３０が、ステップＳ１００２において、ＭＩＰ用クライアント機能１３ではなくＩＰ機能１４を用いて移動制御用の動作を行うように指示する動作方法を、携帯端末１０に対して通知する。
【００４８】
ステップＳ１００３において、携帯端末１０は、通知された動作方法に基づいて、ＩＰ機能１４を用いて移動制御用の動作を行う。
【００４９】
ステップＳ１００４において、携帯端末１０は、エッジノード３０に対して、ＥＡＰ-ＡＫＡ等の認証要求を送信する。
【００５０】
ステップＳ１００５において、エッジノード３０は、認証サーバＡＡＡに対して、携帯端末１０に対する認証処理を行うように要求するために、ＲＦＣ４００４において規定されている「ＡＭＲ（ＡＡ  Ｍｏｂｉｌｅ  Ｎｏｄｅ  Ｒｅｑｕｅｓｔ）」を送信する。
【００５１】
ステップＳ１００６において、認証サーバＡＡＡは、携帯端末１０についての登録情報を取得するために、ＨＡ（ＰＭＩＰ用）に対して、ＲＦＣ４００４において規定されている「ＨＡＲ（Ｈｏｍｅ  Ａｇｅｎｔ  ＭＩＰ  Ｒｅｑｕｅｓｔ）」を送信する。
【００５２】
ステップＳ１００７において、ＨＡ（ＰＭＩＰ用）は、携帯端末１０についての登録情報を通知するために、認証サーバＡＡＡに対して、ＲＦＣ４００４において規定されている「ＨＡＡ（Ｈｏｍｅ  Ａｇｅｎｔ  ＭＩＰ  Ａｎｓｗｅｒ）」を送信する。
【００５３】
ステップＳ１００８において、認証サーバＡＡＡは、ＨＡ（ＰＭＩＰ用）から通知された携帯端末１０についての登録情報を用いて、携帯端末１０に対する認証処理を行い、エッジノード３０に対して、携帯端末１０に対する認証処理結果を通知するために、ＲＦＣ４００４において規定されている「ＡＭＡ（ＡＡ  Ｍｏｂｉｌｅ  Ｎｏｄｅ  Ａｎｓｗｅｒ）」を送信する。
【００５４】
ステップＳ１００９において、エッジノード３０は、携帯端末１０に対して、携帯端末１０に対する認証処理結果を通知すると共に、携帯端末１０に割り当てたＩＰドレスを通知する。
【００５５】
ステップＳ１０１０において、エッジノード３０は、ＰＭＩＰ手順において、エッジノード３０のＩＰアドレスの１つを携帯端末１０のフォーリンアドレス（ＣｏＡ）として割り当て、当該携帯端末１０のフォーリンアドレスをＨＡ（ＰＭＩＰ用）に登録する。
【００５６】
第２に、図５を参照して、本実施形態に係る移動制御システムの第２の動作について説明する。
【００５７】
図５に示すように、携帯端末１０が、ステップＳ１１０１において、携帯端末１０に装備されている端末機能を含む認証要求（ＥＡＰ-ＡＫＡ等）を、エッジノード３０に対して送信する。
【００５８】
ステップＳ１１０２において、エッジノード３０は、認証サーバＡＡＡに対して、「ＡＭＲ」を送信し、ステップＳ１１０３において、認証サーバＡＡＡは、ＨＡ（ＰＭＩＰ用）に対して、「ＨＡＲ」を送信する。
【００５９】
ステップＳ１１０４において、ＨＡ（ＰＭＩＰ用）は、認証サーバＡＡＡに対して、「ＨＡＡ」を送信し、ステップＳ１１０５において、認証サーバＡＡＡは、ＨＡ（ＰＭＩＰ用）から通知された携帯端末１０についての登録情報を用いて、携帯端末１０に対する認証処理を行い、エッジノード３０に対して、「ＡＭＡ」を送信する。
【００６０】
ステップＳ１１０６において、エッジノード３０は、携帯端末１０に対して、携帯端末１０に対する認証処理結果を通知すると共に、携帯端末１０に割り当てたＩＰアドレスを通知する。
【００６１】
また、ステップＳ１１０６において、エッジノード３０は、ＭＩＰ用クライアント機能１３ではなくＩＰ機能１４を用いて移動制御用の動作を行うように指示する動作方法を、携帯端末１０に対して通知する。
【００６２】
ステップＳ１１０７において、エッジノード３０は、ＰＭＩＰ手順において、エッジノード３０のＩＰアドレスの１つを携帯端末１０のフォーリンアドレス（ＣｏＡ）として割り当て、当該携帯端末１０のフォーリンアドレスをＨＡ（ＰＭＩＰ用）に登録する。
【００６３】
（本発明の第１の実施形態に係る移動制御システムの作用・効果）
本発明の第１の実施形態に係る移動制御システムによれば、エッジノード３０が、ＰＭＩＰ用クライアント機能３０Ｂを具備している場合には、携帯端末１０が、ＭＩＰ用クライアント機能１３を具備している場合であっても、ＭＩＰ手順を用いずにＰＭＩＰ手順を用いるように構成されているため、トラフィック量が増加して遅延時間が大きくなりがちなＭＩＰ手順の使用を控えることができる。
【００６４】
（本発明の第２の実施形態に係る移動制御システムの構成）
図６乃至図８を参照して、本発明の第２の実施形態に係る移動制御システムについて、上述の第１の実施形態に係る移動制御システムとの相違点に着目して説明する。
【００６５】
図６に示すように、本実施形態に係る移動制御システムは、ネットワーク装置として、ＨＡ（ＰＭＩＰ用）と、認証サーバＡＡＡと、エッジノード３０と、ソフトウエア管理装置５０とを具備している。
【００６６】
図７に示すように、本実施形態に係る携帯端末１０は、上述の第１の実施形態に係る携帯端末１０の構成に加えて、ソフトウエアダウンロード部１６を具備している。
【００６７】
ソフトウエアダウンロード部１６は、エッジノード３０から通知された格納場所から、ＭＩＰ用クライアント機能を実現するためのＭＩＰ用クライアント機能用ソフトウエアをダウンロードするように構成されている。
【００６８】
また、図８に示すように、本実施形態に係るエッジノード３０は、ＰＭＩＰ用クライアント機能３０Ｂを具備しておらず、ＭＩＰ用ＦＡ機能３０Ａを具備するように構成されている。
【００６９】
また、本実施形態では、動作方法通知部３２又はＩＰアドレス割当部３３が、ＭＩＰ用クライアント機能用ソフトウエアの格納場所を通知するように構成されている。
【００７０】
また、動作方法通知部３２又はＩＰアドレス割当部３３が、上述の格納場所と共に、ＭＩＰ用クライアント機能用ソフトウエアのダウンロードの際に必要なトークンを送信するように構成されていてもよい。
【００７１】
また、ＨＡ（ＣＭＩＰ用）は、ＣＭＩＰ（ＭＩＰ用クライアント）用のホームエージェントであり、携帯端末１０のホームアドレスを管理しており、インターネットから受信したＩＰパケットを、ＭＩＰトンネルを介してエッジノード３０のＭＩＰ用ＦＡ機能３０Ａまで転送するように構成されている。
【００７２】
ソフトウエア管理装置５０は、上述の格納場所に、ＭＩＰ用クライアント機能用ソフトウエアを格納するように構成されている。
【００７３】
（本発明の第２の実施形態に係る移動制御システムの動作）
図９及び図１０を参照して、本発明の第２の実施形態に係る移動制御システムの動作について説明する。
【００７４】
第１に、図９を参照して、本実施形態に係る移動制御システムの第１の動作について説明する。
【００７５】
図９に示すように、エッジノード３０との間のリンク設定手順において、携帯端末１０が、ステップＳ２００１において、携帯端末１０に装備されている端末機能（ＩＰ機能１４のみ）を、エッジノード３０に対して通知し、エッジノード３０が、ステップＳ２００２において、ＭＩＰ用クライアント機能１３を用いて移動制御用の動作を行うように指示する動作方法を、携帯端末１０に対して通知する。
【００７６】
ステップＳ２００３乃至Ｓ２００８の動作は、図４に示すステップＳ１００３乃至Ｓ１００８の動作と同一である。
【００７７】
ステップＳ２００９において、エッジノード３０は、携帯端末１０に対して、携帯端末１０に対する認証処理結果を通知すると共に、携帯端末１０に割り当てたＩＰアドレスを通知する。
【００７８】
また、ステップＳ２００９において、エッジノード３０は、ＭＩＰ用クライアント機能用ソフトウエアの格納場所及びトークンも併せて、携帯端末１０に対して通知する。
【００７９】
ステップＳ２０１０において、携帯端末１０は、エッジノード３０から通知された格納場所を参照して、ソフトウエア管理装置５０に対して、ＭＩＰ用クライアント機能用ソフトウエアをダウンロードするためのソフトウエアダウンロード要求を送信し、ステップＳ２０１１において、ソフトウエア管理装置５０は、かかるＭＩＰ用クライアント機能用ソフトウエアを、携帯端末１０に送信する。
【００８０】
ステップＳ２０１２において、携帯端末１０は、ダウンロードしたＭＩＰ用クライアント機能用ソフトウエアをインストールすることによって、ＭＩＰ用クライアント機能１３を起動する。
【００８１】
ステップＳ２０１３において、携帯端末１０のＭＩＰ用クライアント機能１３は、エッジノード３０のＭＩＰ用ＦＡ機能３０Ａによって割り当てられた携帯端末１０のフォーリンアドレス（ＣｏＡ）を取得する。
【００８２】
ステップＳ２０１４において、携帯端末１０のＭＩＰ用クライアント機能１３は、当該携帯端末１０のフォーリンアドレスを、ＨＡ（ＣＭＩＰ用）に登録する。
【００８３】
第２に、図１０を参照して、本実施形態に係る移動制御システムの第２の動作について説明する。
【００８４】
図１０に示すように、携帯端末１０が、ステップＳ２１０１において、携帯端末１０に装備されている端末機能（ＩＰ機能１４のみ）を含む認証要求（ＥＡＰ-ＡＫＡ等）を、エッジノード３０に対して送信する。
【００８５】
ステップＳ２１０２において、エッジノード３０は、認証サーバＡＡＡに対して、「ＡＭＲ」を送信し、ステップＳ２１０３において、認証サーバＡＡＡは、ＨＡ（ＣＭＩＰ用）に対して、「ＨＡＲ」を送信する。
【００８６】
ステップＳ２１０４において、ＨＡ（ＣＭＩＰ用）は、認証サーバＡＡＡに対して、「ＨＡＡ」を送信し、ステップＳ２１０５において、認証サーバＡＡＡは、ＨＡ（ＣＭＩＰ用）から通知された携帯端末１０についての登録情報を用いて、携帯端末１０に対する認証処理を行い、エッジノード３０に対して、「ＡＭＡ」を送信する。
【００８７】
ステップＳ２１０６において、エッジノード３０は、携帯端末１０に対して、携帯端末１０に対する認証処理結果を通知すると共に、携帯端末１０に割り当てたＩＰアドレスを通知する。
【００８８】
また、ステップＳ２１０６において、エッジノード３０は、ＭＩＰ用クライアント機能１３を用いて移動制御用の動作を行うように指示する動作方法を、携帯端末１０に対して通知する。
【００８９】
さらに、ステップＳ２１０６において、エッジノード３０は、ＭＩＰ用クライアント機能用ソフトウエアの格納場所及びトークンも併せて、携帯端末１０に対して通知する。
【００９０】
以下、ステップＳ２１０７乃至Ｓ２１１１の動作は、図９に示すステップＳ２０１０乃至Ｓ２０１４の動作と同一である。
【００９１】
（本発明の第２の実施形態に係る移動制御システムの作用・効果）
本発明の第２の実施形態に係る移動制御システムによれば、エッジノード３０が、ＰＭＩＰ用クライアント機能３０Ｂを具備しておらず、ＭＩＰ用ＦＡ機能３０Ａしか具備していない場合で、かつ、携帯端末１０が、ＭＩＰ用クライアント機能１３を具備していない場合であっても、携帯端末１０に、ＭＩＰ用クライアント機能用ソフトウエアをダウンロードさせることによって、エッジノード３０が、複数の移動制御手順を準備することなく、携帯端末１０の移動鮮魚を行うことができる。
【００９２】
（本発明の第３の実施形態に係る移動制御システムの構成）
図１１及び図１２を参照して、本発明の第３の実施形態に係る移動制御システムについて、上述の第１の実施形態に係る移動制御システムとの相違点に着目して説明する。
【００９３】
本実施形態に係る移動制御システムは、ホームネットワーク＃１と、ホームネットワーク＃２と、携帯端末１０Ａ及び１０Ｂがローミングによって在圏している訪問ネットワーク（Ｖｉｓｉｔｅｄ  Ｎｅｔｗｏｒｋ）とを具備している。
【００９４】
ホームネットワーク＃１は、ＰＭＩＰ手順に対応可能であるように構成されている。したがって、ホームネットワーク＃１には、ＰＭＩＰ用のＨＡ＃１が設けられている。
【００９５】
また、ホームネットワーク＃２において、ＭＩＰ手順に対応可能なように構成されている。したがって、ホームネットワーク＃２には、ＣＭＩＰ用のＨＡ＃２が設けられている。
【００９６】
また、訪問ネットワークに設けられているエッジノード３０は、ホームネットワーク＃１、＃２と接続されており、ホームネットワーク＃１及び訪問ネットワークは、同一のドメインに属しており、ホームネットワーク＃２だけは、別のドメインに属している。
【００９７】
図１２に示すように、エッジノード３０は、ＭＩＰ用クライアント機能３０Ａ及びＰＭＩＰ用クライアント機能３０Ｂの両方を具備している。
【００９８】
また、移動制御用動作部３４は、ホームネットワーク＃１、＃２に対して、ＭＩＰ手順又はＰＭＩＰ手順のいずれに対応可能であるかについて問い合わせるように構成されている。
【００９９】
また、移動制御用動作部３４は、ホームネットワーク＃１、＃２からの問い合わせ結果に応じて、ＭＩＰ用ＦＡ機能３０Ａ又はＰＭＩＰ用クライアント機能３０Ｂのいずれかを用いて、携帯端末１０Ａ、１０Ｂに対する移動制御用の動作を行うように構成されている。
【０１００】
動作方法通知部３２は、上述のホームネットワーク＃１、＃２からの問い合わせ結果に基づいて、携帯端末１０Ａ、１０Ｂに対して、ＭＩＰ用クライアント機能１３を用いて移動制御用の動作を行うべきか、或いは、ＩＰ機能１４を用いて移動制御用の動作を行うべきかについて指示するように構成されている。
【０１０１】
（本発明の第３の実施形態に係る移動制御システムの動作）
図１３乃至図２０を参照して、本発明の第３の実施形態に係る移動制御システムの動作について説明する。
【０１０２】
第１に、図１３を参照して、本実施形態に係る移動制御システムの第１の動作について説明する。図１３の例では、携帯端末１０Ｂが、ＭＩＰ用クライアント機能１３を具備しており、携帯端末１０Ｂのホームアドレス＃１が、ＭＩＰ手順に対応しておらず、ＰＭＩＰ手順に対応しているものとする。
【０１０３】
図１３に示すように、エッジノード３０との間のリンク設定手順において、携帯端末１０Ｂが、ステップＳ３００１において、携帯端末１０Ｂに装備されている端末機能（ＭＩＰ用クライアント機能１３及びＩＰ機能１４）を、エッジノード３０に対して通知する。
【０１０４】
ステップＳ３００２において、エッジノード３０が、携帯端末１０Ｂに装備されている端末機能（ＭＩＰ用クライアント機能１３及びＩＰ機能１４）を記憶する。
【０１０５】
ステップＳ３００３において、携帯端末１０Ｂは、エッジノード３０に対して、ＥＡＰ-ＡＫＡ等の認証要求を送信する。
【０１０６】
携帯端末１０Ｂに対する認証処理を行うように要求するために、また、ホームネットワーク＃１に対してＭＩＰ手順又はＰＭＩＰ手順のいずれに対応可能であるかについて問い合わせるために、ステップＳ３００４において、エッジノード３０が、訪問ネットワークに設けられている認証サーバＡＡＡ＃３に対して「ＡＭＲ」を送信し、ステップＳ３００５において、認証サーバＡＡＡ＃３が、ホームネットワーク＃１に設けられている認証サーバＡＡＡ＃１に対して「ＡＭＲ」を送信する。
【０１０７】
ステップＳ３００６において、認証サーバＡＡＡ＃１が、携帯端末１０Ｂについての登録情報を取得するために、ＨＡ＃１（ＰＭＩＰ用）に対して、「ＨＡＲ」を送信し、ステップＳ３００７において、ＨＡ＃１（ＰＭＩＰ用）が、携帯端末１０Ｂについての登録情報を通知するために、認証サーバＡＡＡ＃１に対して、「ＨＡＡ」を送信する。
【０１０８】
ＨＡ＃１（ＰＭＩＰ用）から通知された携帯端末１０Ｂについての登録情報を用いて行われた認証結果を通知するために、また、ホームネットワーク＃１の能力（ＰＭＩＰ手順に対応可能であるという問い合わせ結果）を通知するために、ステップＳ３００８において、認証サーバＡＡＡ＃１が、認証サーバＡＡＡ＃３に対して「ＡＭＡ」を送信し、ステップＳ３００９において、認証サーバＡＡＡ＃３が、エッジノード３０に対して「ＡＭＡ」を送信する。
【０１０９】
ステップＳ３０１０において、エッジノード３０が、携帯端末１０Ｂに対して、携帯端末１０Ｂに対する認証処理結果を通知すると共に、携帯端末１０Ｂに割り当てたＩＰアドレスを通知する。
【０１１０】
また、ステップＳ３０１０において、エッジノード３０が、ＭＩＰ用クライアント機能１３ではなくＩＰ機能１４を用いて移動制御用の動作を行うように指示する動作方法を、携帯端末１０Ｂに対して通知する。
【０１１１】
ステップＳ３０１１において、エッジノード３０が、ＰＭＩＰ手順において、エッジノード３０のＩＰアドレスの１つを携帯端末１０Ｂのフォーリンアドレス（ＣｏＡ）として割り当て、当該携帯端末１０ＢのフォーリンアドレスをＨＡ（ＰＭＩＰ用）に登録する。
【０１１２】
第２に、図１４を参照して、本実施形態に係る移動制御システムの第２の動作について説明する。図１４の例では、携帯端末１０Ａが、ＭＩＰ用クライアント機能１３を具備しておらずＩＰ機能１４のみを具備しており、携帯端末１０Ａのホームアドレス＃１が、ＭＩＰ手順に対応しておらず、ＰＭＩＰ手順に対応しているものとする。
【０１１３】
図１４に示すように、エッジノード３０との間のリンク設定手順において、携帯端末１０Ａが、ステップＳ３１０１において、携帯端末１０Ａに装備されている端末機能（ＩＰ機能１４のみ）を、エッジノード３０に対して通知する。
【０１１４】
ステップＳ３１０２において、エッジノード３０が、携帯端末１０Ａに装備されている端末機能（ＩＰ機能１４のみ）を記憶する。
【０１１５】
以下、ステップＳ３１０３乃至Ｓ３１１１の動作は、図１３に示すステップＳ３００３乃至Ｓ３０１１の動作と同一である。
【０１１６】
第３に、図１５を参照して、本実施形態に係る移動制御システムの第３の動作について説明する。図１５の例では、携帯端末１０Ｂが、ＭＩＰ用クライアント機能１３を具備しており、携帯端末１０Ｂのホームアドレス＃１が、ＭＩＰ手順に対応しておらず、ＰＭＩＰ手順に対応しているものとする。
【０１１７】
図１５に示すように、携帯端末１０Ｂが、ステップＳ３２０１において、携帯端末１０Ｂに装備されている端末機能（ＭＩＰ用クライアント機能１３及びＩＰ機能１４）を含む認証要求（ＥＡＰ-ＡＫＡ等）を、エッジノード３０に対して送信する。
【０１１８】
以下、ステップＳ３２０２乃至Ｓ３２０９の動作は、図１３に示すステップＳ３００４乃至Ｓ３０１１の動作と同一である。
【０１１９】
第４に、図１６を参照して、本実施形態に係る移動制御システムの第４の動作について説明する。図１６の例では、携帯端末１０Ａが、ＭＩＰ用クライアント機能１３を具備しておらずＩＰ機能のみを具備しており、携帯端末１０Ａのホームアドレス＃１が、ＭＩＰ手順に対応しておらず、ＰＭＩＰ手順に対応しているものとする。
【０１２０】
図１６に示すように、携帯端末１０Ａが、ステップＳ３３０１において、携帯端末１０Ａに装備されている端末機能（ＩＰ機能１４のみ）を含む認証要求（ＥＡＰ-ＡＫＡ等）を、エッジノード３０に対して送信する。
【０１２１】
以下、ステップＳ３３０２乃至Ｓ３３０９の動作は、図１３に示すステップＳ３００４乃至Ｓ３０１１の動作と同一である。
【０１２２】
第５に、図１７を参照して、本実施形態に係る移動制御システムの第５の動作について説明する。図１７の例では、携帯端末１０Ａが、ＭＩＰ用クライアント機能１３を具備しておらずＩＰ機能のみを具備しており、携帯端末１０Ａのホームアドレス＃２が、ＰＭＩＰ手順に対応しておらず、ＭＩＰ手順に対応しているものとする。
【０１２３】
図１７に示すように、エッジノード３０との間のリンク設定手順において、携帯端末１０Ａが、ステップＳ３４０１において、携帯端末１０Ａに装備されている端末機能（ＩＰ機能１４のみ）を、エッジノード３０に対して通知する。
【０１２４】
ステップＳ３４０２において、エッジノード３０が、携帯端末１０Ａに装備されている端末機能（ＩＰ機能１４のみ）を記憶する。
【０１２５】
ステップＳ３４０３において、携帯端末１０Ａは、エッジノード３０に対して、ＥＡＰ-ＡＫＡ等の認証要求を送信する。
【０１２６】
携帯端末１０Ａに対する認証処理を行うように要求するために、また、ホームネットワーク＃２に対してＭＩＰ手順又はＰＭＩＰ手順のいずれに対応可能であるかについて問い合わせるために、ステップＳ３４０４において、エッジノード３０が、訪問ネットワークに設けられている認証サーバＡＡＡ＃３に対して「ＡＭＲ」を送信し、ステップＳ３４０５において、認証サーバＡＡＡ＃３が、ホームネットワーク＃２に設けられている認証サーバＡＡＡ＃２に対して「ＡＭＲ」を送信する。
【０１２７】
ステップＳ３４０６において、認証サーバＡＡＡ＃２が、携帯端末１０Ａについての登録情報を取得するために、ＨＡ＃２（ＣＭＩＰ用）に対して、「ＨＡＲ」を送信し、ステップＳ３４０７において、ＨＡ＃２（ＣＭＩＰ用）が、携帯端末１０Ａについての登録情報を通知するために、認証サーバＡＡＡ＃２に対して、「ＨＡＡ」を送信する。
【０１２８】
ＨＡ＃２（ＣＭＩＰ用）から通知された携帯端末１０Ａについての登録情報を用いて行われた認証結果を通知するために、また、ホームネットワーク＃２の能力（ＭＩＰ手順に対応可能であるという問い合わせ結果）を通知するために、ステップＳ３４０８において、認証サーバＡＡＡ＃１が、認証サーバＡＡＡ＃３に対して「ＡＭＡ」を送信し、ステップＳ３４０９において、認証サーバＡＡＡ＃３が、エッジノード３０に対して「ＡＭＡ」を送信する。
【０１２９】
ステップＳ３４１０において、エッジノード３０は、携帯端末１０Ａに対して、携帯端末１０Ａに対する認証処理結果を通知すると共に、携帯端末１０Ａに割り当てたＩＰアドレスを通知する。
【０１３０】
また、ステップＳ３４１０において、エッジノード３０は、ＭＩＰ用クライアント機能用ソフトウエアの格納場所及びトークンも併せて、携帯端末１０Ａに対して通知する。
【０１３１】
以下、ステップＳ３４１１乃至Ｓ３４１５の動作は、図９に示すステップＳ２０１０乃至Ｓ２０１４の動作と同一である。
【０１３２】
第６に、図１８を参照して、本実施形態に係る移動制御システムの第６の動作について説明する。図１８の例では、携帯端末１０Ｂが、ＭＩＰ用クライアント機能１３を具備しており、携帯端末１０Ｂのホームアドレス＃２が、ＰＭＩＰ手順に対応しておらず、ＭＩＰ手順に対応しているものとする。
【０１３３】
図１８に示すように、エッジノード３０との間のリンク設定手順において、携帯端末１０Ｂが、ステップＳ３５０１において、携帯端末１０Ａに装備されている端末機能（ＭＩＰ用クライアント機能１３及びＩＰ機能１４）を、エッジノード３０に対して通知する。
【０１３４】
ステップＳ３５０２において、エッジノード３０が、携帯端末１０Ａに装備されている端末機能（ＭＩＰ用クライアント機能１３及びＩＰ機能１４）を記憶する。
【０１３５】
ステップＳ３５０３乃至Ｓ３５０９の動作は、図１８に示すステップＳ３４０３乃至Ｓ３４０９の動作と同一である。
【０１３６】
ステップＳ３５１０において、エッジノード３０は、携帯端末１０Ｂに対して、携帯端末１０Ｂに対する認証処理結果を通知すると共に、携帯端末１０Ａに割り当てたＩＰアドレスを通知する。
【０１３７】
また、ステップＳ３５１０において、エッジノード３０は、携帯端末１０Ｂに対して、ＭＩＰ用クライアント機能１３を用いて移動制御用の動作を行うように指示する動作方法を通知する。
【０１３８】
ステップＳ３５１１において、携帯端末１０ＢのＭＩＰ用クライアント機能１３は、エッジノード３０のＭＩＰ用ＦＡ機能３０Ａによって割り当てられた携帯端末１０のフォーリンアドレス（ＣｏＡ）を取得する。
【０１３９】
ステップＳ３５１２において、携帯端末１０ＢのＭＩＰ用クライアント機能１３は、当該携帯端末１０Ｂのフォーリンアドレスを、ＨＡ＃２（ＣＭＩＰ用）に登録する。
【０１４０】
第７に、図１９を参照して、本実施形態に係る移動制御システムの第７の動作について説明する。図１９の例では、携帯端末１０Ｂが、ＭＩＰ用クライアント機能１３を具備しており、携帯端末１０Ｂのホームアドレス＃２が、ＰＭＩＰ手順に対応しておらず、ＭＩＰ手順に対応しているものとする。
【０１４１】
図１９に示すように、携帯端末１０Ｂが、ステップＳ３６０１において、携帯端末１０Ｂに装備されている端末機能（ＭＩＰ用クライアント機能１３及びＩＰ機能１４）を含む認証要求（ＥＡＰ-ＡＫＡ等）を、エッジノード３０に対して送信する。
【０１４２】
以下、ステップＳ３６０２乃至Ｓ３６１０の動作は、図１８に示すステップＳ３５０４乃至Ｓ３５１２の動作と同一である。
【０１４３】
第８に、図２０を参照して、本実施形態に係る移動制御システムの第８の動作について説明する。図２０の例では、携帯端末１０Ａが、ＭＩＰ用クライアント機能１３を具備しておらずＩＰ機能１４のみを具備しており、携帯端末１０Ａのホームアドレス＃２が、ＰＭＩＰ手順に対応しておらず、ＭＩＰ手順に対応しているものとする。
【０１４４】
図２０に示すように、携帯端末１０Ａが、ステップＳ３７０１において、携帯端末１０Ｂに装備されている端末機能（ＩＰ機能１４のみ）を含む認証要求（ＥＡＰ-ＡＫＡ等）を、エッジノード３０に対して送信する。
【０１４５】
以下、ステップＳ３７０２乃至Ｓ３７１３の動作は、図１７に示すステップＳ３４０４乃至Ｓ３４１５の動作と同一である。
【０１４６】
（本発明の第３の実施形態に係る移動制御システムの作用・効果）
本発明の第３の実施形態に係る移動制御システムによれば、エッジノード３０が、移動端末１０Ａ、１０Ｂのホームネットワーク＃１、＃２の能力に応じて、動作すべき移動制御手順を決定することができる。
【０１４７】
具体的には、本発明の第３の実施形態に係る移動制御システムによれば、訪問ネットワークと同一のドメインに属するホームネットワーク＃１に登録されている携帯端末１０Ａ、Ｂに対しては、ＰＭＩＰ手順を用いることによって、セキュリティを確保することができ、訪問ネットワークと異なるドメインに属するホームネットワーク＃２に登録されている携帯端末１０Ａ、Ｂに対しては、ＭＩＰ手順を用いることによって、セキュリティを確保することができる。
【０１４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１４９】
【図１】本発明の第１の実施形態に係る移動通信システムの全体構成図である。
【図２】本発明の第１の実施形態に係る携帯端末の機能ブロック図である。
【図３】本発明の第１の実施形態に係るエッジノードの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第３の実施形態に係る移動通信システムの全体構成図である。
【図７】本発明の第３の実施形態に係る携帯端末の機能ブロック図である。
【図８】本発明の第３の実施形態に係るエッジノードの機能ブロック図である。
【図９】本発明の第３の実施形態に係る移動通信システムの動作を示すシーケンス図である。
【図１０】本発明の第４の実施形態に係る移動通信システムの動作を示すシーケンス図である。
【図１１】本発明の第５の実施形態に係る移動通信システムの全体構成図である。
【図１２】本発明の第５の実施形態に係るエッジノードの機能ブロック図である。
【図１３】本発明の第５の実施形態に係る移動通信システムの動作を示すシーケンス図である。
【図１４】本発明の第５の実施形態に係る移動通信システムの動作を示すシーケンス図である。
【図１５】本発明の第５の実施形態に係る移動通信システムの動作を示すシーケンス図である。
【図１６】本発明の第５の実施形態に係る移動通信システムの動作を示すシーケンス図である。
【図１７】本発明の第５の実施形態に係る移動通信システムの動作を示すシーケンス図である。
【図１８】本発明の第５の実施形態に係る移動通信システムの動作を示すシーケンス図である。
【図１９】本発明の第５の実施形態に係る移動通信システムの動作を示すシーケンス図である。
【図２０】本発明の第５の実施形態に係る移動通信システムの動作を示すシーケンス図である。
【図２１】従来の移動通信システムにおけるモビリティ制御について説明するための図である。
【図２２】従来の移動通信システムにおけるモビリティ制御について説明するための図である。
【図２３】３ＧＰＰ２及びＷｉＭＡＸ  Ｆｏｒｕｍにおいて提案されているモビリティ制御について説明するための図である。
【符号の説明】
【０１５０】
１０、１０Ａ、１０Ｂ…携帯端末
１１…端末機能通知部
１２…動作方法取得部
１３…ＭＩＰ用クライアント機能
１４…ＩＰ機能
１５…認証処理部
１６…ソフトウエアダウンロード部
１００…移動制御用動作部
３０…エッジノード
３０Ａ…ＭＩＰ用ＦＡ機能
３０Ｂ…ＰＭＩＰ用クライアント機能
３１…端末機能取得部
３２…動作方法通知部
３３…ＩＰアドレス割当部
３４…移動制御用動作部
５０…ソフトウエア管理装置
【図１】
2008172293.tif 000003
【図２】
2008172293.tif 000004
【図３】
2008172293.tif 000005
【図４】
2008172293.tif 000006
【図５】
2008172293.tif 000007
【図６】
2008172293.tif 000008
【図７】
2008172293.tif 000009
【図８】
2008172293.tif 000010
【図９】
2008172293.tif 000011
【図１０】
2008172293.tif 000012
【図１１】
2008172293.tif 000013
【図１２】
2008172293.tif 000014
【図１３】
2008172293.tif 000015
【図１４】
2008172293.tif 000016
【図１５】
2008172293.tif 000017
【図１６】
2008172293.tif 000018
【図１７】
2008172293.tif 000019
【図１８】
2008172293.tif 000020
【図１９】
2008172293.tif 000021
【図２０】
2008172293.tif 000022
【図２１】
2008172293.tif 000023
【図２２】
2008172293.tif 000024
【図２３】
2008172293.tif 000025